(57)【要約】【課題】簡易かつ安価な方法で複数の熱交換部同士の固定が行える空気調和機の室外機を提供する。【解決手段】室外機１では、室外熱交換器１３を底板４７に配置する際に、第１保持部５１と第２保持部５２に挿入される。第１保持部５１の第１保持板５１ａにより、第１熱交換部１３ａの前方への動きが規制される。また、第１保持部５１の第２保持板５１ｂにより、第２熱交換部１３ｂの後方への動きが規制される。また、第２保持部５２の第１保持板５２ａにより、第１熱交換部１３ａの前右方への動きが規制される。また、第２保持部５２の第２保持板５２ｂにより、第２熱交換部１３ｂの前右方への動きが規制される。室外熱交換器１３を第１保持部５１と第２保持部５２とに挿入するだけで第１熱交換部１３ａと第２熱交換部１３ｂとを固定できる。【選択図】図１
2019113241.tif 000002
【特許請求の範囲】
【請求項１】
直方体形状の筐体の底板上でかつ同筐体の側面に設けられた吸込口に近接して室外熱交換器が配置され、同室外熱交換器は、複数の熱交換部が前記吸込口から前記筐体の内部に向かって積層して形成され、
前記底板には、前記複数の熱交換部が積層方向に互いに離れるように動くことを規制しつつ前記室外熱交換器を保持する保持部が備えられ、
前記保持部は、前記底板の一部を変形させて形成された第１規制部と第２規制部を有し、
前記第１規制部は、前記複数の熱交換部のうちもっとも前記吸込口から遠い位置に配置された熱交換部の前記筐体内部への動きを規制するように形成され、
前記第２規制部は、前記複数の熱交換部のうちもっとも前記吸込口に近い位置に配置された熱交換部の前記吸込口側への動きを規制するように形成される、
ことを特徴とする空気調和機の室外機。
【請求項２】
前記保持部が前記室外熱交換器の端部を保持するように形成されている場合は、前記保持部は前記第１規制部と前記第２規制部に加えて第３規制部を有し、
前記第３規制部は、前記室外熱交換器の端部を保持できるように形成される、
ことを特徴とする請求項１に記載の空気調和機の室外機。
【発明の詳細な説明】
【技術分野】
【０００１】
本発明は、複数の熱交換部を積層して形成した熱交換器を有する空気調和機の室外機に関する。
【背景技術】
【０００２】
従来、複数の熱交換部を積層して形成した室外熱交換器を有する空気調和機の室外機では、室外機の底板に室外熱交換器を固定する際は、室外熱交換器の両端部を板金製の押さえ部材で底板にねじなどを用いて固定している（例えば、特許文献１を参照）。
【先行技術文献】
【特許文献】
【０００３】
【特許文献１】特開２０１１−７３６４号公報
【発明の概要】
【発明が解決しようとする課題】
【０００４】
上述した室外熱交換器では、積層した熱交換部同士が振動によって当たって各熱交換部が変形や破損することを防止する目的で、積層した熱交換部同士が固定される。この熱交換部同士が固定は、従来は、上述した押さえ部材とは別に用意する樹脂製のバインダや板金製の固定部材を用いて行われている。しかし、このような熱交換部同士の固定方法では、バインダや固定部材の費用がかかるとともに、バインダや固定部材を用いて熱交換部同士を固定する作業が必要となる。つまり、室外機の費用や製造工数がアップして室外機がコストアップとなる問題があった。
【０００５】
本発明は以上述べた問題点を解決するものであって、簡易かつ安価な方法で複数の熱交換部同士の固定が行える空気調和機の室外機を提供することを目的とする。
【課題を解決するための手段】
【０００６】
上記の課題を解決するために、本発明の空気調和機の室外機は、直方体形状の筐体の底板上でかつ筐体の側面に設けられた吸込口に近接して室外熱交換器が配置され、室外熱交換器は複数の熱交換部が筐体に設けられた吸込口から筐体の内部に向かって積層して形成されている。底板には、複数の熱交換部が積層方向に互いに離れるように動くことを規制しつつ室外熱交換器を保持する保持部が備えられ、保持部は、底板の一部を変形させて形成された第１規制部と第２規制部を有する。第１規制部は、複数の熱交換部のうちもっとも吸込口から遠い位置に配置された熱交換部の筐体内部への動きを規制するように形成され、第２規制部は、複数の熱交換部のうちもっとも吸込口に近い位置
に配置された熱交換部の吸込口側への動きを規制するように形成される。
【発明の効果】
【０００７】
上記のように構成した本発明の空気調和機の室外機は、室外機の底板の一部を変形して形成されて複数の熱交換部同士が離れないように保持する保持部を設ける。これにより、複数の熱交換部同士を固定するために別途部材を用いる必要がなく、また、保持部に複数の熱交換部を挿入するだけで複数の熱交換部同士の固定が行える。つまり、簡易かつ安価な方法で複数の熱交換部同士の固定が行えるので、室外機がコストアップとなることを防止できる。
【図面の簡単な説明】
【０００８】
【図１】本発明の第１の実施形態における、室外機の概略図であり、（Ａ）は外観斜視図、（Ｂ）は室外機の内部を上方から見た図面である。
【図２】本発明の実施形態における、室外熱交換器の保持部を示す図面であり、（Ａ）は第１保持部と第２保持部の上面図、（Ｂ）は第１保持部の説明図、（Ｃ）は第２保持部の説明図である。
【図３】本発明の第２の実施形態における、室外熱交換器の保持部を示す図面であり、（Ａ）は第３保持部と第４保持部の上面図、（Ｂ）は第３保持部の説明図、（Ｃ）は第４保持部の説明図である。
【図４】本発明の第２の実施形態における、室外熱交換器の保持部の説明図である。
【発明を実施するための形態】
【０００９】
以下、本発明の実施の形態を、添付図面に基づいて詳細に説明する。実施形態としては、２つのフィンアンドチューブ型の熱交換部を厚み方向に積層して形成した室外熱交換器を有する室外機を例に挙げて説明する。尚、本発明は以下の実施形態に限定されることはなく、本発明の主旨を逸脱しない範囲で種々変形することが可能である。
【実施例１】
【００１０】
＜室外機の構成＞
図１に示すように、室外機１は、天面パネル４１と、前面パネル４２と、前面側支柱４３と、背面側支柱４４と、背面パネル４５と、側面パネル４６と、底板４７と、仕切板４８とで構成される直方体形状の筐体４０を有する。尚、以下の説明では、図１に示すＸ方向を室外機１の左右方向、Ｙ方向を室外機１の前後方向、Ｚ方向を室外機１の上下方向とする。
【００１１】
天面パネル４１は板金で形成され、筐体４０の天面を覆うように配置されている。天面パネル４１の周縁部は下方に折り曲げてられており、天面パネル４１の下方に折り曲げられた周縁部には、前面パネル４２、前面側支柱４３、背面側支柱４４、背面パネル４５、側面パネル４６の各々の上端がねじ止めされる。
【００１２】
前面パネル４２は板金で形成され、室外機１の前面を覆うように配置されている。前面パネルのうちの後述する熱交換器室３の前面に配置される箇所には、筐体４０の内部と外部を連通する吹出口６１が設けられている。吹出口６１の前面には、鉄材もしくは樹脂材で格子状に形成されたファンガード４９が配置されている。
【００１３】
前面側支柱４３は板金をＬ字状に折り曲げて形成され、室外機１の前面の左端に配置されている。また、背面側支柱４４は板金をＬ字状に折り曲げて形成され、室外機１の背面の左端に配置されている。また、背面パネル４５は板金で形成され、室外機１の背面のうちの後述する機械室２の背面の一部を覆うように配置されている。そして、図１（Ｂ）に示すように、前面側支柱４３と背面側支柱４４の間、および、背面側支柱４４と背面パネル４５の左端の間が、筐体４０の内部と外部を連通する吸込口６２とされている。つまり、筐体４０の左側面と背面とに吸込口６２が設けられている。
【００１４】
側面パネル４６は板金で形成され、室外機１の右側面を覆うように配置されている。底板４７は板金で形成され、その周縁部には前面パネル４２、前面側支柱４３、背面側支柱４４、背面パネル４５、側面パネル４６の各々の下端がねじ止めされる。また、底板４７には、後述する室外熱交換器１３を保持する第１保持部５１と第２保持部５２とがそれぞれ設けられている。これら第１保持部５１と第２保持部５２のついては、後に詳細に説明する。
【００１５】
仕切板４８は板金の略中央部を折り曲げた形状とされており、仕切板４８の前端が前面パネル４２に、仕切板４８の下端が底板４７にそれぞれねじ止めされる。図１（Ｂ）に示すように、仕切板４８は、筐体４０の内部を機械室２と熱交換室３に仕切る。
【００１６】
機械室２には、圧縮機１１とアキュムレータ１２とが各々の筐体の一部を接触させるようにして配置されている。尚、機械室２には、上記圧縮機１１とアキュムレータ１２以外にも、空気調和機の冷媒回路を構成する四方弁や膨張弁、制御基板や電源基板を格納する電装品箱、などが配置されているが、図１（Ｂ）では図示を省略している。
【００１７】
熱交換室３には、室外熱交換器１３と送風ファン１４がそれぞれ配置されている。室外熱交換器１３は、それぞれがフィンアンドチューブ型であり伝熱管が縦一列に配置された第１熱交換部１３ａと第２熱交換部１３ｂとからなり、第１熱交換部１３ａと第２熱交換部１３ｂはそれぞれＬ字状に折り曲げられて、筐体４０の背面側の吸込口６２から筐体４０の内部に向かう方向に第２熱交換部１３ｂ、第１熱交換部１３ａの順で積層されている。室外熱交換器１３は、２つの吸込口６２に臨むように熱交換室３に配置されており、室外熱交換器１３の長辺部１３ｃが背面側の吸込口６２に、室外熱交換器１３の短辺部１３ｄが左側面側の吸込口６２に、それぞれ臨むように配置されている。尚、本実施形態の室外熱交換器１３では、第１熱交換部１３ａと第２熱交換部１３ｂをそれぞれＬ字状に折り曲げて積層されたときに両端部の位置が揃うように、第１熱交換部１３ａより外側に配置される第２熱交換部１３ｂの大きさが第１熱交換部１３ａの大きさより大きく形成している。
【００１８】
送風ファン１４は、図示しないファンモータの駆動軸に中心部が固定されており、吹出口６１に臨むように配置されている。
【００１９】
以上説明した室外機１では、圧縮機１１と、アキュムレータ１２と、室外熱交換器１３と、図示しない四方弁や膨張弁が、図示しない冷媒配管で相互に接続されている。そして、圧縮機１１の駆動により室外熱交換器１３を流れる冷媒と、送風ファン１４の回転によって２つの吸込口６２から筐体４０の内部に流入して室外熱交換器１３に流入する外気とが室外熱交換器１３で熱交換し、冷媒によって加熱あるいは冷却された外気が、筐体４０の内部から吹出口６１を介して筐体４０の外部へ流出する。
【００２０】
＜第１保持部と第２保持部＞
次に、図２を用いて、筐体４０の底板４７に設けられている第１保持部５１と第２保持部５２について説明する。
【００２１】
＜第１保持部＞
図２（Ａ）に示すように、第１保持部５１は、底板４７の後面側における左右方向の中央部よりやや左寄りの位置に設けられて、室外熱交換器１３が熱交換室３に配置されたときに室外熱交換器１３の長辺部１３ｃの左右方向の略中央部を保持する。つまり、第１保持部５１は、熱交換室３における室外熱交換器１３の長辺部１３ｃの配置に対応した箇所に設けられる。
【００２２】
第１保持部５１は、第１保持板５１ａと、第２保持板５１ｂと、孔５１ｃを有する。第１保持板５１ａは、室外熱交換器１３の長辺部１３ｃの前面側、つまりは、長辺部１３ｃの一部である第１熱交換部１３ａの長辺部における、第２熱交換部１３ｂと重ねられる面と反対側の面を保持する。第２保持板５１ｂは、室外熱交換器１３の長辺部１３ｃの後面側、つまりは、長辺部１３ｃの一部である第２熱交換部１３ｂの長辺部における、第１熱交換部１３ａと重ねられる面と反対側の面を保持する。尚、第１保持板５１ａが本発明の第１規制部であり、第２保持板５１ｂが本発明の第２規制部である。
【００２３】
次に、図２（Ｂ）を用いて、第１保持部５１の形成方法を説明する。第１保持部５１を形成するときは、まず、底板４７に図２（Ｂ）に破線で示すように切り込みを入れて、第１保持板５１ａになる部分と第２保持板５１ｂになる部分とを形成する。次に、矢印に示す方向つまりは上方に向かって第１保持板５１ａと第２保持板５１ｂとをそれぞれ曲げ起こし、底板４７に対して第１保持板５１ａと第２保持板５１ｂとが略垂直となるまで曲げ起こす。このとき、第１保持板５１ａと第２保持板５１ｂとの間隔寸法Ｈ１が、図１（Ｂ）に示す室外熱交換器１３の長辺部１３ｃの厚さ寸法Ｈｅ１より少し大きい（例えば、２ｍｍ大きい）寸法となるように、上述したＨ字状の切り込みの寸法が決められている。尚、第１保持板５１ａと第２保持板５１ｂとをそれぞれ曲げ起こした跡が、孔５１ｃとなる。
【００２４】
＜第２保持部＞
図２（Ａ）に示すように、第２保持部５２は、底板４７の左側面側における前面側近傍に設けられて、室外熱交換器１３が熱交換室３に配置されたときに室外熱交換器１３の短辺部１３ｄの端面１３ｅ、および、端面１３ｅ近傍の両側面を保持する。つまり、第２保持部５２は、熱交換室３における室外熱交換器１３の短辺部１３ｄの端面１３ｅの配置に対応した箇所に設けられる。
【００２５】
第２保持部５２は、第１保持板５２ａと、第２保持板５２ｂと、第３保持板５２ｃと、孔５２ｄを有する。第１保持板５２ａは、室外熱交換器１３の短辺部１３ｄの端面１３ｅ近傍における右側面側、つまりは、短辺部１３ｄの一部である第１熱交換部１３ａの短辺部における、第２熱交換部１３ｂと重ねられる面と反対側の面を保持する。第２保持板５２ｂは、室外熱交換器１３の端面１３ｅ近傍における左側面側、つまりは、短辺部１３ｄの一部である第２熱交換部１３ｂの短辺部における、第２熱交換部１３ｂと重ねられる面と反対側の面を保持する。第３保持板５２ｃは、室外熱交換器１３の端面１３ｅを保持する。尚、第１保持板５２ａが本発明の第１規制部であり、第２保持板５２ｂが本発明の第２規制部であり、第３保持板５２ｃが本発明の第３規制部である。
【００２６】
次に、図２（Ｃ）を用いて、第２保持部５２の形成方法を説明する。第２保持部５２を形成するときは、まず、底板４７に図２（Ｃ）に破線で示すように切り込みを入れて第１保持板５２ａになる部分と第２保持板５２ｂになる部分と第３保持板５２ｃになる部分とを形成する。次に、矢印に示す方向つまりは上方に向かって第１保持板５２ａと第２保持板５２ｂと第３保持板５２ｃとをそれぞれ曲げ起こし、底板４７に対して第１保持板５２ａと第２保持板５２ｂと第３保持板５２ｃとが略垂直となるまで曲げ起こす。このとき、第１保持板５２ａと第２保持板５２ｂとの間隔寸法Ｈ２が、図１（Ｂ）に示す室外熱交換器１３の短辺部１３ｄの厚さ寸法Ｈｅ２より少し大きい（例えば、２ｍｍ大きい）寸法となるように、また、室外熱交換器１３の端面１３ｅと第３保持板５２ｃとの間隔が少し空く（例えば、１ｍｍ空く）とともに第３保持部５２ｃの高さ寸法が第１熱交換部１３ａおよび第２熱交換部１３ｂのそれぞれの最下方に配置される伝熱管に当たらない寸法となるように、上述した切り込みの寸法（図２に示す各破線の長さ寸法）が決められている。尚、第１保持板５２ａと第２保持板５２ｂと第３保持板５２ｃとをそれぞれ曲げ起こした跡が、孔５２ｄとなる。
【００２７】
＜室外熱交換器の底板への組み付け＞
以上説明した第１保持部５１と第２保持部５２とを有する底板４７に、室外熱交換器１３を組み付ける手順を説明する。まず、第１熱交換部１３ａと第２熱交換部１３ｂとを重ね合わせる。次に、第１保持部５１と第２保持部５２に室外熱交換器１３を挿入して、室外熱交換器１３を底板４７の上に配置する。このとき、室外熱交換器１３の長辺部１３ｃを第１保持部５１に、短辺部１３ｄを第２保持部５２にそれぞれ挿入する。尚、上記手順では、先に第１熱交換部１３ａあるいは第２熱交換部１３ｂのいずれか一方を第１保持部５１と第２保持部５２とに挿入し、次に他方の熱交換部を第１保持部５１と第２保持部５２とに挿入してもよい。
【００２８】
室外熱交換器１３を第１保持部５１と第２保持部５２とに挿入することで、室外熱交換器１３を底板４７へ固定する際の位置決めができる。このように、室外熱交換器１３を底板４７に位置決めした後に、図示しない組み付け部材を用いて、室外熱交換器１３を底板４７にねじ止めにより固定する。そして、室外熱交換器１３の伝熱管を、図示しない膨張弁や四方弁に接続されている冷媒配管に溶接する。
【００２９】
以上説明したように、本実施形態の室外機１では、室外熱交換器１３の長辺部１３ｃを底板４７に設けられた第１保持部５１に挿入する。また、室外熱交換器１３の短辺部１３ｄを第２保持部５２に挿入する。第１保持部５１の第１保持板５１ａにより、第１熱交換部１３ａの前方への動きが規制される。また、第１保持部５１の第２保持板５１ｂにより、第２熱交換部１３ｂの後方への動きが規制される。また、第２保持部５２の第１保持板５２ａにより、第１熱交換部１３ａの右方への動きが規制される。また、第２保持部５２の第２保持板５２ｂにより、第２熱交換部１３ｂの左方への動きが規制される。さらには、第２保持部５２の第３保持板５２ｃにより、第１熱交換部１３ａと第２熱交換部１３ｂの前方への動きが規制される。
【００３０】
このように、室外熱交換器１３を第１保持部５１と第２保持部５２とに挿入するだけで、第１熱交換部１３ａと第２熱交換部１３ｂとが互いに離間する方向に動かないように固定できる。従って、別途バインダや固定部材などを用いる必要がなく、簡易かつ安価な方法で、第１熱交換部１３ａと第２熱交換部１３ｂとを固定できる。
【００３１】
また、第１保持部５１は孔５１ｃと、第２保持部５２は孔５２ｄをそれぞれ有する。室外熱交換器１３が蒸発器として機能するときは室外熱交換器１３で凝縮水が発生するが、室外熱交換器１３から底板４７に滴下した凝縮水を、孔５１ｃや孔５２ｄを介して筐体４０の外部に排出することができる。
【００３２】
さらには、室外熱交換器１３を第１保持部５１と第２保持部５２とに挿入することで、室外熱交換器１３を底板４７に簡単に位置決めすることができ、室外熱交換器１３を底板４７に固定する作業が容易となる。
【実施例２】
【００３３】
次に、図３（Ａ）および図３（Ｂ）を用いて、本発明の第２の実施形態について説明する。本実施形態では、第１の実施形態における第１保持部５１に代えて、第３保持部５３を設ける。尚、第３保持部５３の配置箇所は第１保持部５１と同じであるため、配置箇所の説明は省略する。
【００３４】
第３保持部５３は、保持凸部５３ａと、保持板５３ｂと、孔５３ｃを有する。保持凸部５３ａは、室外熱交換器１３の長辺部１３ｃの前面側、つまりは、長辺部１３ｃの一部である第１熱交換部１３ａの長辺部における、第２熱交換部１３ｂと重ねられる面と反対側の面を保持する。保持板５３ｂは、室外熱交換器１３の長辺部１３ｃの後面側、つまりは、長辺部１３ｃの一部である第２熱交換部１３ｂの長辺部における、第１熱交換部１３ａと重ねられる面と反対側の面を保持する。尚、保持凸部５３ａが本発明の第１規制部であり、保持板５３ｂが本発明の第２規制部である。
【００３５】
次に、第３保持部５３の形成方法を説明する。第３保持部５３を形成するときは、底板４７に図３（Ｂ）に破線で示すように切り込みを入れ保持凸部５３ａになる部分と保持板５３ｂになる部分とを形成する。保持板５３ｂは、図３（Ｂ）で矢印に示す方向つまりは上方に向かって曲げ起こし、底板４７に対して略垂直となるまで曲げ起こす。
【００３６】
一方、保持凸部５３ａは、図３（Ｂ）に示す４か所の折り曲げ部５３ａ１、５３ａ２、５３ａ３、および５３ａ４で、切り離した底板４７の一部を折り曲げることで、断面形状が略四角形状で上方へ向かって凸形状となるように形成される。このとき、保持凸部５３ａの高さ寸法が保持板５３ｂと略同じ高さ寸法となるように、また、保持凸部５３ａの幅寸法が底板４７の厚さ寸法すなわち保持板５３ｂの厚さ寸法より大きな寸法となるように、保持凸部５３ａが形成される。そして、保持凸部５３ａと保持板５３ｂとの間隔寸法Ｈ３は、図３（Ａ）に示す室外熱交換器１３の長辺部１３ｃの厚さ寸法Ｈｅ１より少し大きい（例えば、２ｍｍ大きい）寸法とされる。
【００３７】
以上説明した実施形態では、第３保持部５３の保持凸部５３ａにより、第１熱交換部１３ａの前方への動きが規制される。また、第３保持部５３の保持板５３ｂにより、第２熱交換部１３ｂの後方への動きが規制される。第１の実施形態と比べて、第１熱交換部１３ａの前方への動きを規制するものが、板状の第１保持板５１の厚さ寸法より大きな幅寸法をされていることで第１保持板５１より強度が強い保持凸部５３ａであるため、第１熱交換部１３ａの前方への動きを強固に規制できる。
【００３８】
尚、本実施形態の第３保持部５３では、第１熱交換部１３ａの前方への動きを規制する側のみを保持凸部５３ａとしているが、第２熱交換部１３ｂの後方側に保持凸部５３ａのような構造を形成できるスペースがあれば、第２熱交換部１３ｂの後方への動きを規制するものも保持凸部としてもよい。また、第１の実施形態における第２保持部５２の第１保持板５２ａと第２保持板５２ｂも、ともに保持凸部としてもよい。
【実施例３】
【００３９】
次に、図３（Ａ）および図３（Ｃ）を用いて、本発明の第３の実施形態について説明する。本実施形態では、図３（Ａ）に示すように、室外熱交換器１３の前端部（第１の実施形態における端部１３ｅ）に段差があり、かつ、第１の実施形態における第２保持部５２に代えて第４保持部５４を設ける。尚、第４保持部５４の配置箇所は第２保持部５２と同じであるため、配置箇所の説明は省略する。
【００４０】
第１の実施形態では、室外熱交換器１３の第１熱交換部１３ａと第２熱交換部１３ｂとをそれぞれＬ字状に折り曲げて重ね合わせたときに、両端部の位置が揃うように、第１熱交換部１３ａと第２熱交換部１３ｂとがそれぞれ別の大きさとされていた。これに対し、本実施形態では、第１熱交換部１３ａと第２熱交換部１３ｂが同じ大きさであり、折り曲げる前に第１熱交換部１３ａと第２熱交換部１３ｂとを重ね合わせ、第１熱交換部１３ａと第２熱交換部１３ｂとを重ね合わせた状態でＬ字状に折り曲げる。そして、Ｌ字状に折り曲げる際に、第１熱交換部１３ａおよび第２熱交換部１３ｂのそれぞれの機械室２側の端部を揃えて折り曲げるため、室外熱交換器１３の前端部では、第１熱交換部１３ａの端面１３ｆが第２熱交換部１３ｂの端面１３ｇより前方に突き出る。
【００４１】
上記のように段差が生じている室外熱交換器１３の前端部を保持できるように、第４保持部５４が形成されている。具体的には、第４保持部５４は、第１保持板５４ａと、第２保持板５４ｂと、第３保持板５４ｃと、孔５４ｄを有する。第１保持板５４ａは、室外熱交換器１３の短辺部１３ｄの端面１３ｆ近傍における右側面側、つまりは、短辺部１３ｄの一部である第１熱交換部１３ａの短辺部における、第２熱交換部１３ｂと重ねられる面と反対側の面を保持する。第２保持板５４ｂは、室外熱交換器１３の短辺部１３ｄの端面１３ｇ近傍の左側面側、つまりは、短辺部１３ｄの一部である第２熱交換部１３ｂの短辺部における、第２熱交換部１３ｂと重ねられる面と反対側の面を保持する。第３保持板５４ｃは、室外熱交換器１３の第１熱交換部１３ａの端面１３ｆを保持する。尚、第１保持板５４ａが本発明の第１規制部であり、第２保持板５４ｂが本発明の第２規制部であり、第３保持板５４ｃが本発明の第３規制部である。
【００４２】
第４保持部５４は、第１の実施形態の第２保持部５２と略同様の手順で形成できるが、第１の実施形態の第３保持板５２ｃとは本実施形態の第３保持板５４ｃの形状が異なり、底板４７に切り込みを入れる際に、図３（Ｃ）の破線で示すように切り込みを入れて第１保持板５４ａになる部分と第２保持板５４ｂになる部分と第３保持板５４ｃになる部分とを形成する。尚、切り込みを入れた後の曲げ起こしについては第２保持部５２の場合と同様であり、第１保持板５４ａと第２保持板５４ｂと第３保持板５４ｃとをそれぞれ曲げ起こし、底板４７に対して第１保持板５４ａと第２保持板５４ｂと第３保持板５４ｃとが略垂直となるまで曲げ起こす。
【００４３】
そして、第１保持板５４ａと第２保持板５４ｂとの間隔寸法Ｈ４は、図３（Ａ）に示す室外熱交換器１３の短辺部１３ｄの厚さ寸法Ｈｅ２より少し大きい（例えば、２ｍｍ大きい）寸法となるように、また、第１熱交換部１３ａの端面１３ｆと第３保持板５４ｃとの間隔が少し空く（例えば、１ｍｍ空く）とともに第３保持部５４ｃの高さ寸法が第１熱交換部１３ａの最下方に配置される伝熱管に当たらない寸法となるように、第１保持板５４ａと第２保持板５４ｂと第３保持板５４ｃとが形成される。
【００４４】
以上説明した実施形態では、第１熱交換部１３ａと第２熱交換部１３ｂとを重ね合わせた状態でＬ字状に折り曲げた室外熱交換器１３を、第４保持部５４で保持する。特に、室外熱交換器１３の前端面の保持は、第２熱交換部１３ｂの端面１３ｇより前方に配置される第１熱交換部１３ａの端面１３ｆを第３保持板５４ｃで保持する。これにより、第２熱交換部１３ｂの前方への動きは第１熱交換部１３ａによって規制され、第１熱交換部１３ａの前方への動きは第３保持板５４ｃによって規制されるので、室外熱交換器１３の前端面に段差がある場合であっても、室外熱交換器１３の前方への動きを効果的に規制できる。
【実施例４】
【００４５】
次に、図４を用いて、本発明の第４の実施形態について説明する。本実施形態では、今までに説明した各実施形態の保持板の上端部を覆うように緩衝材を設ける。例えば、図４に示すのは、第１の実施形態の第１保持部５１の第１保持板５１ａおよび第２保持板５１ｂの上端部を覆うように緩衝材５１ｄを設けた状態である。
【００４６】
これまでに説明してきた各実施形態では、室外熱交換器１３と各保持板との間に１ｍｍ程度の隙間がある。これは、室外熱交換器１３を各保持部に挿入する際の作業性を良くしつつ第１熱交換部１３ａと第２熱交換部１３ｂとが互いに離間する方向に動かないように固定するためである。しかし、この隙間寸法の分、第１熱交換部１３ａや第２熱交換部１３ｂが前後方向あるいは左右方向に動いて第１熱交換部１３ａと第２熱交換部１３ｂとが離間する可能性があり、また、室外機１の駆動時に第１熱交換部１３ａと第２熱交換部１３ｂが振動して各保持部の保持板に当たってその当たり音が発生する恐れがある。
【００４７】
以上説明した問題点に対し、本実施形態では、ゴム材やウレタン材などで形成される緩衝材５１ｄを第１保持板５１ａや第２保持板５１ｂに設けている。具体的には、緩衝材５１ｄは、第１保持板５１ａや第２保持板５１ｂの各上端面、および、第１保持板５１ａや第２保持板５１ｂの各内壁面と各外壁面の一部を覆うように配置されている。そして、緩衝材５１ｄの厚さ寸法Ｈｃは、第１熱交換部１３ａと第１保持板５１ａとの間の隙間寸法Ｈｇ１および第２熱交換部１３ｂと第２保持板５１ｂとの間の隙間寸法Ｈｇ２と同じか、それより少し（０．５ｍｍ程度）小さな寸法とされる。
【００４８】
第１保持板５１ａや第２保持板５１ｂに緩衝材５１ｄを設ければ、室外熱交換器１３を第１保持板５１ａや第２保持板５１ｂに挿入したときに、第１熱交換部１３ａと第１保持板５１ａとの間、および、第２熱交換部１３ｂと第２保持板５１ｂの間に緩衝材５１ｄが介在することになる。これにより、第１熱交換部１３ａや第２熱交換部１３ｂが前後方向あるいは左右方向に動いて第１熱交換部１３ａと第２熱交換部１３ｂとが離間することをより確実に規制できる。また、室外機１の駆動時に第１熱交換部１３ａが振動して第１保持板５１ａと当たって当たり音が発生すること、および、第２熱交換部１３ｂが振動して第２保持板５１ｂと当たって当たり音が発生することを防止できる。
【００４９】
以上説明した各実施形態では、Ｌ字状に折り曲げられた室外熱交換器１３を、第１保持部５１あるいは第３保持部５３と、第２保持部５２あるいは第４保持部５４とで保持する場合を説明した。しかし、本発明はこれに限られるものではなく、室外熱交換器が折り曲げられずに板状とされているものや、例えばコ字状やＶ字状といった曲げ方をされている場合にも適用でき、室外熱交換器の形状に合わせて、底板に保持部の配置を決めればよい。
【符号の説明】
【００５０】
１  室外機
２  機械室
１１  圧縮機
１３  熱交換器
１３ａ  第１熱交換部
１３ｂ  第２熱交換部
１３ｃ  長辺部
１３ｄ  短辺部
１３ｅ  端面
１３ｆ  端面
１３ｇ  端面
１４  送風ファン
４７  底板
５１  第１保持部
５１ａ  第１保持板
５１ｂ  第２保持板
５１ｃ  孔
５２  第２保持部
５２ａ  第１保持板
５２ｂ  第２保持板
５２ｃ  第３保持板
５２ｄ  孔
５３  第３保持部
５３ａ  保持凸部
５３ｂ  保持板
５３ｃ  孔
５４  第４保持部
５４ａ  第１保持板
５４ｂ  第２保持板
５４ｃ  第３保持板
５４ｄ  孔
【図１】
2019113241.tif 000003
【図２】
2019113241.tif 000004
【図３】
2019113241.tif 000005
【図４】
2019113241.tif 000006